(57)【要約】【課題】簡易な構成で転倒を抑制することができる包装箱及び包装箱の連結構造を提供する。【解決手段】包装箱１の対向する第１面１１及び第３面１３の対応する位置に切断線を夫々形成することによって、２個のフラップ部２１，２３が設けられている。第１面１１に設けられているフラップ部２１の基端から先端までの長さは第３面１３に設けられているフラップ部２３の基端から先端までの長さよりも長い。包装箱１，１，…の運搬者は、フラップ部２１に形成されている穴である取っ手２１１に指を係止してフラップ部２１を外側へ容易に引っ張り出し、フラップ部２３を内側へ押し込んで穴２３２を容易に開放し、一の包装箱１の穴２３２に、他の包装箱１のフラップ部２１を挿入して、２個の包装箱１，１を簡易に連結することによって、包装箱１，１の転倒を抑制する。【選択図】図３
2008087843.tif 000002
【特許請求の範囲】
【請求項１】
対向する２面の対応する位置に切断線を夫々形成することによって、２個のフラップ部が設けられている包装箱において、
一方のフラップ部の基端から先端までの長さが他方のフラップ部の基端から先端までの長さよりも長いことを特徴とする包装箱。
【請求項２】
２組の対向する２面夫々に前記２個のフラップ部が形成されていることを特徴とする請求項１に記載の包装箱。
【請求項３】
少なくとも１個のフラップ部に、穴が形成されていることを特徴とする請求項１又は２に記載の包装箱。
【請求項４】
請求項１乃至３の何れかひとつに記載の包装箱の連結構造であって、
一の前記包装箱の前記他方のフラップ部を開放してなる穴に、他の前記包装箱の前記一方のフラップ部を挿入してあることを特徴とする包装箱の連結構造。
【発明の詳細な説明】
【技術分野】
【０００１】
本発明は、物品を収容して運搬するための段ボール箱のような包装箱及び包装箱の連結構造に関する。
【背景技術】
【０００２】
直方体状の段ボール箱のような包装箱は、１枚の段ボールシートを折り曲げて組み立てられており、４面を有する箱本体と、この箱本体の上部及び下部夫々にそれぞれ連設されている各４枚の蓋片部と底片部とからなる（特許文献１参照）。
【０００３】
このような包装箱は、物品を収容して持ち運ぶために、箱本体の対向２面の対応する位置に切断線を夫々形成することによって、２個の指穴フラップ部が形成されており、運搬者は、１個の包装箱の持ち運びの際に、２個の指穴フラップ部を両方開放してなる穴に両手の指を入れて包装箱を持ち運ぶ。つまり、指穴フラップ部を両方開放してなる穴は、取っ手として用いられる。
【０００４】
ところで、例えば脚部を備える薄型の液晶テレビ、プラズマテレビ等の表示装置を収容する包装箱は、包装箱の縦長さ（即ち包装箱の高さ）及び横幅夫々の長さに比べて、奥行き（即ち包装箱の厚み）の長さが短い。
このような薄型の包装箱は、最も面積が広い面を底面として載置（いわゆる横置き）する方が安定するが、前述の液晶表示装置のように、転倒して載置することができない物品を収容している場合、面積が狭い面を底面として載置（いわゆる縦置き）する必要がある。
【０００５】
縦置きされた薄型の包装箱は、重心が高いため安定性が悪く、転倒し易い。このため、例えばパレットに複数の包装箱を並置してフォークリフトで運搬する場合、パレットの端部に載置されている包装箱が転倒して落下することがある。
包装箱の転倒及び落下を防止するために、従来、運搬者は、パレットに載置された複数の包装箱の周囲に適宜のシートを巻き付ける。
【特許文献１】特許第３２０００４０号公報
【発明の開示】
【発明が解決しようとする課題】
【０００６】
しかしながら、包装箱をフォークリフトで運搬する際には、パレットに載置された複数の包装箱に対してシートを着脱する工程が必要となり、運搬の利便性が悪い。
また、シートを巻き付けるまでの間に、パレットに載置された包装箱が転倒することを防止するために、シートを巻き付けるまで包装箱が転倒しないよう支持する手段が別途必要である。
【０００７】
本発明は斯かる事情に鑑みてなされたものであり、その主たる目的は、一の包装箱の短いフラップ部を開放してなる穴に、他の包装箱の長いフラップ部を挿入する構成とすることにより、簡易な構成で転倒を抑制することができる包装箱及び包装箱の連結構造を提供することにある。
【０００８】
本発明の他の目的は、２組の対向２面夫々に２個のフラップ部を形成する構成とすることにより、連結の際の並置方向が一方向に限定されない包装箱を提供することにある。
【０００９】
本発明の更に他の目的は、フラップ部に穴を形成する構成とすることにより、形成されている穴に指を挿入してフラップ部を開放することができる包装箱を提供することにある。
【課題を解決するための手段】
【００１０】
本発明に係る包装箱は、対向する２面の対応する位置に切断線を夫々形成することによって、２個のフラップ部が設けられている包装箱において、一方のフラップ部の基端から先端までの長さが他方のフラップ部の基端から先端までの長さよりも長いことを特徴とする。
【００１１】
本発明に係る包装箱は、２組の対向する２面夫々に前記２個のフラップ部が形成されていることを特徴とする。
【００１２】
本発明に係る包装箱は、少なくとも１個のフラップ部に、穴が形成されていることを特徴とする。
【００１３】
本発明に係る包装箱の連結構造は、本発明の包装箱の連結構造であって、一の前記包装箱の前記他方のフラップ部を開放してなる穴に、他の前記包装箱の前記一方のフラップ部を挿入してあることを特徴とする。
【００１４】
本発明にあっては、２個のフラップ部、具体的には、基端から先端までの長さが長いフラップ部と短いフラップ部とが、対向する２面の対応する位置に設けられている。
各フラップ部は、包装箱の一面に切断線を形成することによって簡易に設けられる。ここで、２個のフラップ部の一方（特に短い方）は、従来の包装箱に設けられている指穴フラップ部を流用してもよい。
【００１５】
運搬者は、１個の包装箱の持ち運びの際に、２個のフラップ部を両方開放してなる穴に両手の指を入れて包装箱を持ち運ぶ。つまり、このフラップ部を両方開放してなる穴は、取っ手として用いられる。
【００１６】
このような２個のフラップ部が設けられている包装箱を複数、フラップ部の対向方向に並置する。そして、一の包装箱の短いフラップ部を開放してなる穴に、他の包装箱の長いフラップ部を挿入することによって、これらの包装箱を連結する。挿入されたフラップ部は、例えば、前記穴が形成されている面と、包装箱に収納されている物品との間に挟持されて固定される。
連結された複数の包装箱は、連結されていない１個の包装箱よりも、底面の面積が広くなり、また、重量も重くなるため、床面、パレット等に安定して載置される。
【００１７】
連結された複数の包装箱の底面全体の形状は、細長い長方形状よりも正方形状に近似した形状である方が安定性が増すため、特に、包装箱が薄型の包装箱である場合、２個のフラップ部は、包装箱の面のうち、最も面積が広い対向２面に形成することが好ましい。このとき、各包装箱の底面の長辺が互いに略平行に配され、短辺が略一列に配されるため、連結された複数の包装箱の底面全体の形状が、正方形状に近似する。
また、各フラップ部は、半円形状、三角形状等であってもよいが、矩形状であることが好ましい。矩形状のフラップ部を設ける場合、短いフラップ部を開放してなる穴に、長いフラップ部を挿入して連結し易いという利点がある。
【００１８】
本発明にあっては、２組の対向する２面夫々に、２個のフラップ部が形成されている。
運搬者は、１個の包装箱の持ち運びの際に、何れかの２個のフラップ部を両方開放してなる穴に両手の指を入れて包装箱を持ち運ぶ。つまり、持ち運びの際の包装箱の向きが一方向だけに限定されない。
【００１９】
各包装箱は、２個のフラップ部の対向方向が直交的な２方向であるため、複数の包装箱を何れかの方向に並置して、一の包装箱の短いフラップ部を開放してなる穴に、他の包装箱の長いフラップ部を挿入することによって、これらの包装箱を連結する。つまり、連結の際の包装箱の並置方向が一方向だけに限定されない。
【００２０】
また、一方向に並置され連結された複数の包装箱のグループを複数、他方向に並置して連結することが可能となる。
このように連結された複数の包装箱は、一方向に並置され連結された複数の包装箱のグループよりも、底面の面積が更に広くなり、また、重量も更に重くなり、しかも、連結された複数の包装箱の底面全体の形状が正方形状に近似するため、床面、パレット等に更に安定して載置される。
【００２１】
本発明にあっては、少なくとも１個のフラップ部に、穴が形成されている。
フラップ部を開放する場合、短いフラップ部は包装箱の内側へ押し込んで開放してもよいが、長いフラップ部は包装箱の内側へ押し込んで開放し難い。このため、フラップ部は、包装箱の外側へ引き出して開放することが望ましい。
フラップ部を包装箱の外側へ引き出す場合、このフラップ部に形成されている穴に指を係止することによってフラップ部は容易に包装箱の外側へ引き出される。つまり、この穴は、フラップ部の取っ手として用いられる。
【発明の効果】
【００２２】
本発明の包装箱及び包装箱の連結構造による場合、１個の包装箱に設けられている２個のフラップ部両方を開放してなる穴を、この包装箱の持ち運び用の取っ手として用いることができる。
また、複数の包装箱をフラップ部の対向方向に並置して、一の包装箱の短いフラップ部を開放してなる穴に、他の包装箱の長いフラップ部を挿入して複数の包装箱を連結することができるため、簡易な構成で包装箱の転倒を容易に抑制することができる。
しかも、包装箱の持ち運び用の手段と、転倒防止用の手段とが兼用されているため、包装箱の構成を更に簡易にすることができる。
【００２３】
このような包装箱の連結構造によれば、包装箱をフォークリフトで運搬する際に、パレットに載置された複数の包装箱に対してシートを着脱する工程が不要となり、運搬の利便性を向上させることができる。
また、シートを巻き付ける場合であっても、シートを巻き付けるまでの間に、パレットに載置された包装箱が転倒することが抑制されているため、シートを巻き付けるまで包装箱が転倒しないよう支持する手段が不要となる。
しかも、包装箱同士を連結するために、包装箱とは別体の連結部材を改めて準備する必要がないため、連結が容易で低コストである。
【００２４】
本発明の包装箱による場合、２組の対向２面夫々に２個のフラップ部を形成するため、何れかの２個のフラップ部両方を開放してなる穴を、包装箱の持ち運び用の取っ手として用いることができる。
また、複数の包装箱をフラップ部の何れかの対向方向に並置して、一の包装箱の短いフラップ部を開放してなる穴に、他の包装箱の長いフラップ部を挿入して複数の包装箱を連結することができる。
つまり、運搬される包装箱の向き、並置方向等が一方向に限定されないため、運搬の利便性を向上させることができる。
【００２５】
本発明の包装箱による場合、フラップ部に穴を形成するため、形成されている穴に指を挿入してフラップ部を、包装箱の外側へ容易に引き出すことができる。この場合、特に、基端から先端までの長さが長いフラップ部を包装箱の内側へ押し込む必要がないため、フラップ部を容易に開閉することができる。
しかも、フラップ部を開放するために、包装箱とは別体の取っ手部材をフラップ部に取り付ける必要がないため、構成が簡易で低コストである。
【発明を実施するための最良の形態】
【００２６】
以下、本発明を、その実施の形態を示す図面に基づいて詳述する。
【００２７】
実施の形態  １．
図１は、本発明の実施の形態１に係る包装箱１を示す斜視図、図２は、２個の包装箱１，１の連結構造を説明する縦断面図、図３は、多数の包装箱１，１，…の連結構造を示す斜視図である。
図１に示すように、包装箱１は直方体状であり、９００ｍｍの横幅Ｂ×２６０ｍｍの奥行きＤ×７００ｍｍの高さＨを有する薄型の段ボール箱である。このような包装箱１は、１枚の段ボールシートを折り曲げて組み立てられている。
【００２８】
具体的には、包装箱１は６枚の矩形状の面１１〜１６を有し、第１面１１、第２面１２、第３面１３及び第４面１４は、この順に連続して包装箱１の矩形筒状の箱本体をなしている。ここで、第１面１１及び第３面１３夫々は９００ｍｍ×７００ｍｍの寸法を有しており、面積が最も大きく、第２面１２及び第４面１４夫々は２６０ｍｍ×７００ｍｍの寸法を有しており、面積が最も小さい。
【００２９】
また、面１１，１２，１３，１４夫々の両端部（図１中の上部及び下部夫々）に、各１枚の一片部が設けられており、各４枚の一片部を閉じ合わせて前記箱本体の両端部（図１中の上部及び下部夫々）の開口を閉鎖することによって、包装箱１の９００ｍｍ×２６０ｍｍの第５面１５及び第６面１６となしている。
【００３０】
包装箱１は、脚部を備える薄型の液晶表示装置（不図示）を起立した状態で収容する。このため、液晶表示装置が収容されている包装箱１は、第１面１１又は第３面１３よりも面積が小さい第６面１６を底面として載置（即ち縦置き）される。この結果、第５面１５が包装箱１の天面となり、面１１，１２，１３，１４は包装箱１の側面となる。
以下では、包装箱１の第５面１５側を上側とし、第６面１６側を下側とする。また、第２面１２側を右側とし、第４面１４側を左側とする。更に、第１面１１側を前側とし、第３面１３側を後側とする。
【００３１】
第１面１１及び第３面１３は互いに対向する面である。この第１面１１及び第３面１３の対応する位置には、コ字状の切断線２１ａ，２３ａを夫々形成することによって、２個の矩形状のフラップ部２１，２３が設けられている。
フラップ部２１，２３は夫々上側に基端部、下側に先端部を有し、第１面１１に設けられているフラップ部２１の基端から先端までの長さ（即ちフラップ部２１の縦長さ）は、第３面１３に設けられているフラップ部２３の基端から先端までの長さ（即ちフラップ部２３の縦長さ）よりも長い。
また、フラップ部２１，２３夫々の基端部の第６面１６からの高さは略等しく、フラップ部２１，２３夫々の横幅（即ち左右方向の長さ）は略等しい。
【００３２】
同様に、第２面１２及び第４面１４は互いに対向する面である。この第２面１２及び第４面１４の対応する位置には、コ字状の切断線２２ａ，２４ａを夫々形成することによって、２個の矩形状のフラップ部２２，２４が設けられている。
フラップ部２２，２４は夫々上側に基端部、下側に先端部を有し、第２面１２に設けられているフラップ部２２の基端から先端までの長さ（即ちフラップ部２２の縦長さ）は、第４面１４に設けられているフラップ部２４の基端から先端までの長さ（即ちフラップ部２４の縦長さ）よりも長い。
また、フラップ部２２，２４夫々の基端部の第６面１６からの高さは略等しく、フラップ部２２，２４夫々の横幅（即ち前後方向の長さ）は略等しい。
【００３３】
各フラップ部２１，２２，２３，２４は、包装箱１の運搬者が指で押すことによって、又は指で引っ張ることによって、基端部の図１中二点鎖線で示している位置で容易に折れ曲がり、図２に示すように、包装箱１の内側に押し込まれるか、又は、包装箱１の外側に引き出される。
【００３４】
ここで、２個のフラップ部２１，２３（及びフラップ部２２，２４）夫々の内、縦長さが長い方のフラップ部２１（及びフラップ部２２）の基端近傍には、図１に示すように、取っ手２１１（及び取っ手２２１）が設けられている。この取っ手２１１（及び取っ手２２１）は、フラップ部２１（及びフラップ部２２）を貫通する矩形状の穴であり、運搬者が取っ手２１１（及び取っ手２２１）に指を係止して引っ張ることによって、フラップ部２１（及びフラップ部２２）は容易に外側に引き出される。
【００３５】
取っ手２１１，２２１は、フラップ部２１，２２を刳り貫いて形成してあるため、フラップ部２１，２２に別部材を設けて取っ手となす構成よりも簡易で低コストである。
【００３６】
各フラップ部２１，２２，２３，２４を押し込むか引き出すかして開放した場合、各面１１，１２，１３，１４には、図２及び図３に示すように、各フラップ部２１，２２，２３，２４と同寸法の矩形状の穴２１２，２２２，２３２，２４２が開口する。
【００３７】
ところで、従来の包装箱には、物品を収容して持ち運ぶために、２個の指穴フラップ部が形成されている。
同様に、包装箱１に液晶表示装置を収容して持ち運ぶために、運搬者は、２個のフラップ部２１，２３（又はフラップ部２２，２４）を、指穴フラップ部と同様に利用する。即ち、フラップ部２１，２３（又はフラップ部２２，２４）両方開放してなる穴２１２，２３２（又は穴２２２，２４２）に両手の指を入れて、包装箱１を持ち運ぶ。つまり、フラップ部２１，２３（又はフラップ部２２，２４）を両方開放してなる穴２１２，２３２（又は穴２２２，２４２）は、包装箱１運搬用の取っ手として用いられる。
【００３８】
この場合、フラップ部２１，２３（又はフラップ部２２，２４）は、包装箱１の内側へ押し込んでも外側へ引き出してもよいが、フラップ部２１，２３（又はフラップ部２２，２４）が運搬者の指を阻害しないよう、フラップ部２１，２３（又はフラップ部２２，２４）の先端部が上側を向くまでフラップ部２１，２３（又はフラップ部２２，２４）の基端部を折り曲げることが好ましい。
このために、短いフラップ部２３（フラップ部２４）は内側へ押し込む方が簡便であり、また、長いフラップ部２１（又はフラップ部２２）は外側へ引き出す方が、フラップ部２１（又はフラップ部２２）が包装箱１に収容されている液晶表示装置に不要に当接することなく、簡便である。
【００３９】
更に、フラップ部２１，２３（又はフラップ部２２，２４）の折り曲げられた基端部の湾曲部分が運搬者の指に当接するため、手の痛みが軽減される。仮に、フラップ部２３（又はフラップ部２４）を除去して穴２３２（又は穴２４２）だけの状態にした場合、穴２３２（又は穴２４２）の開口端に運搬者の指が当接して、運搬者が手の痛みを覚えることがある。
【００４０】
ところで、縦置きされている薄型の包装箱１は、重心が高いため安定性が悪く、転倒し易い。このため、例えばパレットに複数の包装箱１，１，…を並置してフォークリフトで運搬する場合、特にパレットの端部に載置されている包装箱１が転倒して落下することを抑制するために、並置されている包装箱１，１，…を連結する。
【００４１】
具体的には、図３に示すように、複数の包装箱１，１，…を前後方向（フラップ部２１，２３の対向方向）に並置する。この場合、一の包装箱１の第３面１３と他の包装箱１の第１面１１とが対面する。
次に、図２（ａ）に示すように、フラップ部２１を包装箱１の外側に引き出し、フラップ部２３を内側に押し込んで、穴２１２，２３２を開口させる。
【００４２】
最後に、図２（ｂ）及び図３に示すように、一の包装箱１の第３面１３のフラップ部２３を開放してなる穴２３２に、他の包装箱１の第１面１１のフラップ部２１を挿入する。このとき、２個の包装箱１，１が前後方向に連結される。ここで、一の包装箱１をパレットに載置した状態で、他の包装箱１を持ち上げて、一の包装箱１の穴２３２に他の包装箱１のフラップ部２１を上から下へ挿入すると連結作業が簡易である。
穴２３２に挿入されたフラップ部２１は、穴２３２が形成されている第３面１３の内側と、包装箱１に収納されている液晶表示装置との間に挟持されて固定される。
【００４３】
同様に、図３に示すように、前後方向に連結された包装箱１，１，…同士を左右方向（フラップ部２２，２４の対向方向）に並置する。この場合、一の包装箱１の第４面１４と他の包装箱１の第２面１２が対面する。
次に、フラップ部２２を包装箱１の外側に引き出し、フラップ部２４を内側に押し込んで、穴２２２，２４２を開口させる。
【００４４】
最後に、一の包装箱１の第４面１４のフラップ部２４を開放してなる穴２４２に、他の包装箱１の第２面１２のフラップ部２２を挿入する。このとき、２個の包装箱１，１が左右方向に連結される。ここで、一の包装箱１をパレットに載置した状態で、他の包装箱１を持ち上げて、一の包装箱１の穴２４２に他の包装箱１のフラップ部２２を上から下へ挿入すると連結作業が簡易である。
穴２４２に挿入されたフラップ部２２は、穴２４２が形成されている第４面１４の内側と、包装箱１に収納されている液晶表示装置との間に挟持されて固定される。
【００４５】
以上のようにして前後左右２方向に連結された複数の包装箱１，１，…は、連結されていない１個の包装箱１よりも、底面の面積（第６面１６，１６，…の面積の合計）が広くなり、また、重量も重くなるため、パレットに安定して載置される。
更に、前後左右２方向に連結された複数の包装箱１，１，…がパレットに安定して載置されているため、この包装箱１，１，…の上に、更に前後左右２方向に連結された複数の包装箱１，１，…を載置する（即ち高く段積みする）ことが可能となる。
【００４６】
ここで、包装箱１，１，…は、前後方向にのみ連結してもよい。前後方向に連結された包装箱１，１，…の底面全体の形状は、細長い長方形状の第６面１６よりも正方形状に近似した形状であるため、安定性が増す。
ただし、包装箱１，１，…を、左右方向にのみ連結することは好ましくない。左右方向に連結された包装箱１，１，…の底面全体の形状は、細長い長方形状であるため、安定性が悪い。
【００４７】
以上のような包装箱１は、薄型縦置きであるため転倒しやすいが、フラップ部２１（及びフラップ部２２）を転倒防止フラップとして用い、穴２３２（及び穴２４２）を転倒防止フラップ用挿入穴として用いて、包装箱１，１同士を連結させることによって、特にパレットを使用して包装箱１，１，…を運搬する場合の包装箱１，１，…の転倒（即ち包装箱１，１，…に収容されている液晶表示装置の転倒）及び落下を抑制する。
【００４８】
なお、包装箱１は、段ボール箱に限定されるものではない。また、各フラップ部の形状、個数等も本実施の形態の形状、個数等に限定されるものではない。
更に、切断線２１ａ，２２ａ，２３ａ，２４ａは、面１１，１２，１３，１４を連続的に切断して形成してあるが、面１１，１２，１３，１４にミシン目を入れて（断続的に切断して）形成してもよい。また、フラップ部２１，２２，２３，２４を容易に押し開ける（又は引き開ける）ことが可能であるならば、面１１，１２，１３，１４を厚み方向に完全に切断せず、中央部まで切断して形成してもよい。
【００４９】
更にまた、フラップ部２１，２２，２３，２４とは別に、指穴フラップ部を形成してあってもよいが、フラップ部２１，２２，２３，２４を指穴フラップ部と兼用する方が簡易で低コストである。
また、フラップ部２３，２４にもフラップ部２３，２４を外側へ引き出すための穴状の取っ手を形成してもよい。
【００５０】
実施の形態  ２．
図４は、本発明の実施の形態２に係る多数の包装箱１，１，…の連結構造を示す斜視図である。
本実施の形態の包装箱１は、実施の形態１の包装箱１と略同様であるが、実施の形態１のフラップ部２２，２４の代わりに、フラップ部３２，３４が設けられている。
【００５１】
フラップ部３２，３４は、実施の形態１のフラップ部２２，２４と同様にして、第２面１２及び第４面１４に設けられている。ただし、フラップ部３２，３４夫々の基端部の第６面１６からの高さは、第１面１１及び第３面１３に設けられているフラップ部２１，２３夫々の基端部の第６面１６からの高さと略等しい。
【００５２】
その他、実施の形態１に対応する部分には同一符号を付してそれらの説明を省略する。
【００５３】
このような包装箱１，１，…を連結する場合、まず、複数の包装箱１，１，…を前後方向に連結する。
更に、前後方向に連結された包装箱１，１，…のブロック同士を、一のブロック（図中右側のブロック）の包装箱１の第４面１４と他のブロック（図中左側のブロック）の包装箱１の第１面１１とを対面させて並置する。
そして、一のブロックの包装箱１の第４面１４のフラップ部３４を開放してなる穴３４２に、他のブロックの包装箱１の第１面１１のフラップ部２１を挿入する。このとき、一のブロックの包装箱１と他のブロックの包装箱１とが連結される。
【００５４】
このようにして連結された複数の包装箱１，１，…は、底面の面積（第６面１６，１６，…の面積の合計）が広くなり、また、重量も重くなるため、パレットに安定して載置される。
以上のような包装箱１は、各包装箱１の２組の対向する２面（面１１，１３及び面１２，１４）夫々に２個のフラップ部（フラップ部２１，２３及びフラップ部３２，３４）が形成されているため、実施の形態１のような連結態様も含む複数の連結態様に対応する。
【００５５】
実施の形態  ３．
図５は、本発明の実施の形態３に係る包装箱１を示す斜視図、図６は、２個の包装箱１，１の連結構造を説明する縦断面図である。
本実施の形態の包装箱１は、実施の形態１の包装箱１と略同様であるが、実施の形態１のフラップ部２２の代わりに、フラップ部４２が設けられている。
具体的には、図５に示すように、第２面１２及び第４面１４の対応する位置に、コ字状の切断線４２ａ，２４ａを夫々形成することによって、２個の矩形状のフラップ部４２，２４が設けられている。
【００５６】
フラップ部２４は上側に基端部、下側に先端部を有し、逆にフラップ部４２は下側に基端部、上側に先端部を有し、第２面１２に設けられているフラップ部４２の基端から先端までの長さ（即ちフラップ部４２の縦長さ）は、第４面１４に設けられているフラップ部２４の基端から先端までの長さ（即ちフラップ部２４の縦長さ）よりも長い。
また、フラップ部４２の基端部の第６面１６からの高さとフラップ部２４の先端部の第６面１６からの高さとは略等しく、フラップ部４２，２４夫々の横幅（即ち前後方向の長さ）は略等しい。
【００５７】
その他、実施の形態１，２に対応する部分には同一符号を付してそれらの説明を省略する。
【００５８】
このような包装箱１，１，…を連結する場合、まず、複数の包装箱１，１，…を左右方向（フラップ部４２，２４の対向方向）に並置する。この場合、一の包装箱１の第４面１４と他の包装箱１の第２面１２が対面する。
次に、図６に示すように、フラップ部４２を包装箱１の外側に引き出し、フラップ部２４を内側に押し込んで、フラップ部４２，２４を開放してなる穴４２２，２４２を開口させる。
【００５９】
最後に、図６（ａ）に示すように、一の包装箱１の第４面１４のフラップ部２４を開放してなる穴２４２に、他の包装箱１の第２面１２のフラップ部４２を挿入する。このとき、図６（ｂ）に示すように、２個の包装箱１，１が左右方向に連結される。ここで、他の包装箱１をパレットに載置した状態で、一の包装箱１を持ち上げて、他の包装箱１のフラップ部４２が一の包装箱１の穴２４２に下から上へ挿入されるようにすると連結作業が簡易である。
【００６０】
実施の形態  ４．
図７は、本発明の実施の形態４に係る包装箱１を示す斜視図である。
本実施の形態の包装箱１は、実施の形態１の包装箱１と略同様であるが、実施の形態１のフラップ部２２，２４の代わりに、２個の指穴フラップ部５２，５４が第２面１２及び第４面１４に設けられている。
【００６１】
その他、実施の形態１〜３に対応する部分には同一符号を付してそれらの説明を省略する。
【００６２】
以上のような包装箱１を手で持ち運ぶ運搬者は、指穴フラップ部５２，５４を両方開放してなる穴に両手の指を入れて１個の包装箱１を持ち運ぶ。
また、複数の包装箱１，１，…をパレットに載置して運搬する運搬者は、一の包装箱１のフラップ部２３を開放してなる穴に、他の包装箱１のフラップ部２１を挿入して包装箱１，１を前後方向に連結して運搬する。
【００６３】
以上のような実施の形態１〜４の包装箱１は、例えばフラップ部２１の縦長さがフラップ部２３の縦長さよりも長い。仮に、フラップ部２１の縦長さとフラップ部２３の縦長さとが略同じである場合、一の包装箱１のフラップ部２３を開放してなる穴に他の包装箱１のフラップ部２１を挿入しても、この穴からフラップ部２１が容易に脱離して、隣り合う包装箱１，１の連結が不要に解除される。
【００６４】
また、仮に、フラップ部２１，２３が、対向する２面の対応する位置に形成されていない場合、一の包装箱１のフラップ部２３を開放してなる穴に他の包装箱１のフラップ部２１を挿入すること、及び、１個の包装箱１のフラップ部２１，２３両方を開放してなる穴を、この包装箱１を持ち運ぶ際の取っ手として使うことが、できないか又は困難になる。
【図面の簡単な説明】
【００６５】
【図１】本発明の実施の形態１に係る包装箱を示す斜視図である。
【図２】本発明の実施の形態１に係る包装箱の連結構造を説明する縦断面図である。
【図３】本発明の実施の形態１に係る包装箱の連結構造を示す斜視図である。
【図４】本発明の実施の形態２に係る包装箱の連結構造を示す斜視図である。
【図５】本発明の実施の形態３に係る包装箱を示す斜視図である。
【図６】本発明の実施の形態３に係る包装箱の連結構造を説明する縦断面図である。
【図７】本発明の実施の形態４に係る包装箱を示す斜視図である。
【符号の説明】
【００６６】
１    包装箱
１１  第１面（面）
１２  第２面（面）
１３  第３面（面）
１４  第４面（面）
２１，２２，２３，２４，３２，３４，４２  フラップ部
２１ａ，２２ａ，２３ａ，２４ａ，４２ａ  切断線
２１１，２２１  取っ手（穴）
２１２，２２２，２３２，２４２，３４２，４２２  穴
【図１】
2008087843.tif 000003
【図２】
2008087843.tif 000004
【図３】
2008087843.tif 000005
【図４】
2008087843.tif 000006
【図５】
2008087843.tif 000007
【図６】
2008087843.tif 000008
【図７】
2008087843.tif 000009